(57)【要約】      （修正有）【課題】支持面に置かれた状態で、長手方向に所定の長さにわたって伸びる一乃至複数の被支持体を支持する支持構造体であり、複数の構造体により立体的に組み立てられ、被支持体を支持している状態で、被支持体、及び支持構造体の外観・形態とが相まって、相乗効果で美的鑑賞に堪え得、被支持体を支持していない状態であっても、外観、形態を変更可能で、単独で美的鑑賞に堪え得る鑑賞対象物となる支持構造体を提案する。【解決手段】複数のスケルトン構造体４、５が立体的に組み合わされ、支持面に置かれた状態で、長手方向に所定の長さに伸びる被支持体を支持する組立式立体支持構造体１。スケルトン構造体４、５は骨部材７a〜７ｌが結合して形成され、被支持体が組立式立体支持構造体１によって支持される際に、一部の骨部材７a〜７ｌにより支持部が形成され、スケルトン構造体４、５の骨部材同士間に形成される空間部を介して被支持体を視認できる。【選択図】図２
2019017830.tif 000002
【特許請求の範囲】
【請求項１】
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して形成されており、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。
【請求項２】
前記複数のスケルトン構造体はそれぞれを形成している前記所定の本数の骨部材の中の少なくとも一の骨部材の所定の箇所に掛脱部材を備えており、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされる請求項１記載の組立式立体支持構造体。
【請求項３】
前記複数のスケルトン構造体の中の少なくとも一つのスケルトン構造体は、当該スケルトン構造体を形成している前記所定の本数の骨部材の中の骨部材によって形成される閉じられた空間領域を少なくとも一つ備えている請求項１又は２記載の組立式立体支持構造体。
【請求項４】
前記被支持体が生け花用または観賞用の花材である請求項１乃至３のいずれか一項に記載の組立式立体支持構造体。
【請求項５】
前記被支持体が文房具である請求項１乃至３のいずれか一項に記載の組立式立体支持構造体。
【請求項６】
前記被支持体が傘である請求項１乃至３のいずれか一項に記載の組立式立体支持構造体。
【発明の詳細な説明】
【技術分野】
【０００１】
この発明は、組立式立体支持構造体に関する。特に、複数のスケルトン構造体が立体的に組み合わされてなり、床面、テーブルの上面、机の上面、棚の上面などの支持面に置かれた状態で、長手方向に所定の長さにわたって伸びる一乃至複数の被支持体を支持する組立式立体支持構造体に関する。
【背景技術】
【０００２】
床面、テーブルの上面、机の上面、棚の上面などの支持面に置かれた状態で、長手方向に所定の長さにわたって伸びる一乃至複数の被支持体を支持する支持構造体に関しては従来から種々の提案が行われている。
【０００３】
例えば、被支持体が、生け花用や、観賞用の花材である場合、剣山を使用することなしに、花材を立てる（支持する）ことのできる花立て具が提案されている（特許文献１）。
【０００４】
また、装飾、展示する草花の種類、形態、本数などに柔軟に対応して生け花を行うことができるように、剣山を使用せず、筒状空間部を備えている構造体を、任意の形状、構造、形態に組み立てることが可能な、生け花に使用する花器も提案されている（特許文献２）。
【０００５】
本願の発明者も、生け花に従来使用されていた剣山に替わって、生け花に際して生け花用の花材を活ける花立て具や、観賞用の花材を支持する花立て具として使用でき、更に、単独で、観賞用のオブジェとなり得る花立て具、いわゆるオブジェ剣山を提案している（特許文献３）。
【先行技術文献】
【特許文献】
【０００６】
【特許文献１】実用新案登録第３０５０２８３号公報
【特許文献２】実用新案登録第３０１４４７６号
【特許文献３】特許第５３５１３４８号公報
【発明の概要】
【発明が解決しようとする課題】
【０００７】
本発明は、床面、テーブルの上面、机の上面、棚の上面などの支持面に置かれた状態で、長手方向に所定の長さにわたって伸びる一乃至複数の被支持体を支持する支持構造体であって、複数の構造体によって立体的に組み立てられ、前記被支持体を支持している状態では、支持されている前記被支持体の全体的な外観・形態と、前記支持構造体の外観・形態とが相まって、相乗効果で美的鑑賞に堪え得るオブジェとなり得、また、前記被支持体を支持していない状態であっても、種々に外観、形態を変更可能で、前記支持面に置かれた前記支持構造体の単独であっても、美的鑑賞に堪え得るオブジェとなり得る支持構造体を提案することを目的にしている。
【課題を解決するための手段】
【０００８】
［１］
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して形成されており、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。
【０００９】
［２］
前記複数のスケルトン構造体はそれぞれを形成している前記所定の本数の骨部材の中の少なくとも一の骨部材の所定の箇所に掛脱部材を備えており、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされる［１］の組立式立体支持構造体。
【００１０】
［３］
前記複数のスケルトン構造体の中の少なくとも一つのスケルトン構造体は、当該スケルトン構造体を形成している前記所定の本数の骨部材の中の一乃至複数の骨部材によって形成される閉じられた空間領域を少なくとも一つ備えている［１］又は［２］の組立式立体支持構造体。
【００１１】
［４］
前記被支持体が生け花用または観賞用の花材である［１］〜［３］のいずれかの組立式立体支持構造体。
【００１２】
［５］
前記被支持体が文房具である［１］〜［３］のいずれかの組立式立体支持構造体。
【００１３】
［６］
前記被支持体が傘である［１］〜［３］のいずれかの組立式立体支持構造体。
【発明の効果】
【００１４】
床面、テーブルの上面、机の上面、棚の上面などの支持面に置かれた状態で、長手方向に所定の長さにわたって伸びる一乃至複数の被支持体を支持する支持構造体であって、複数の構造体によって立体的に組み立てられ、前記被支持体を支持している状態では、支持されている前記被支持体の全体的な外観・形態と、前記支持構造体の外観・形態とが相まって、相乗効果で美的鑑賞に堪え得る鑑賞対象物となり得、また、前記被支持体を支持していない状態であっても、種々に外観、形態を変更可能で、前記支持面に置かれた前記支持構造体の単独で美的鑑賞に堪え得る鑑賞対象物となり得る支持構造体を提供することができる。
【図面の簡単な説明】
【００１５】
【図１】この発明の実施形態の一例を表す斜視図。
【図２】図１図示の実施形態で被支持体としての花材が支持されている状態の一例を表す斜視図。
【図３】この発明の他の実施形態の一例を表す斜視図。
【図４】図３図示の実施形態で被支持体としての花材が支持されている状態の一例を表す斜視図。
【図５】この発明の更に他の実施形態の一例を表す斜視図。
【図６】図５図示の実施形態で被支持体としての花材が支持されている状態の一例を表す斜視図。
【図７】（ａ）、（ｂ）は、図１図示の実施形態における組立式立体支持構造体を構成するスケルトン構造体の一の骨部材に係脱部材が配備されている状態の一例を説明する斜視図。
【図８】（ａ）、（ｂ）は、図７図示のスケルトン構造体の他の実施形態の一例を説明する斜視図。
【発明を実施するための形態】
【００１６】
本実施形態の組立式立体支持構造体は、複数のスケルトン構造体が立体的に組み合わされてなり、床面、テーブルの上面、机の上面、棚の上面などの支持面に置かれた状態で、長手方向に所定の長さにわたって伸びる一乃至複数の被支持体を支持するものである。
【００１７】
長手方向に所定の長さにわたって伸びる被支持体には、横方向（すなわち）幅方向の所定の個所におけるサイズ、大きさ（長さ）よりも、当該横方向（すなわち）幅方向に直交する方向である長手方向におけるサイズ、大きさ（長さ）の方が大きい物であれば種々の物が含まれる。例えば、生け花用または観賞用の花材や、鉛筆、万年筆、ボールペン、ものさし、等の文房具、傘、ステッキ、杖などが例示される。
【００１８】
前記組立式立体支持構造体を構成する前記複数のスケルトン構造体は、それぞれ、所定の本数の骨部材が結合されて形成されている。
【００１９】
図１図示の実施形態は、図７（ａ）図示のスケルトン構造体４と、図７（ｂ）図示のスケルトン構造体５とが立体的に組み合わされてなる組立式立体支持構造体１の一例を表すものである。
【００２０】
スケルトン構造体４は、直線状に伸びる１２本の骨部材３ａ、３ｂ、３ｃ、３ｄ、３ｅ、３ｆ、３ｇ、３ｈ、３ｉ、３ｊ、３ｋ、３ｌが結合されて形成されている。
【００２１】
スケルトン構造体５も、直線状に伸びる１２本の骨部材７ａ、７ｂ、７ｃ、７ｄ、７ｅ、７ｆ、７ｇ、７ｈ、７ｉ、７ｊ、７ｋ、７ｌが結合されて形成されている。
【００２２】
図１図示の実施形態では、スケルトン構造体４の骨部材３ｉの部分と、スケルトン構造体５の骨部材７ｃの部分とにそれぞれ掛脱部材８、９が配備されていて（図７）、これによって、スケルトン構造体４とスケルトン構造体５とが、それぞれの骨部材３ｉ、骨部材７ｃを介して立体的に組み合わされている。すなわち、立体的に連結されている。
【００２３】
例えば、スケルトン構造体４の骨部材３ｉの部分及び、スケルトン構造体５の骨部材７ｃの部分にそれぞれ配備されている掛脱部材８、９（図７）を互いに掛脱可能な磁石部材とし、当該磁石部材の磁力によってスケルトン構造体４とスケルトン構造体５とを、それぞれの骨部材３ｉ、骨部材７ｃを介して立体的に組み合わせる、すなわち、立体的に連結する構造にすることができる。
【００２４】
あるいは、一方の掛脱部材８を凸部、他方の掛脱部材９を前記凸部がはめ込まれる凹部にしておき、凹凸の嵌めあいによって、スケルトン構造体４とスケルトン構造体５とを、それぞれの骨部材３ｉ、骨部材７ｃを介して立体的に組み合わせる、すなわち、立体的に連結する構造にすることができる。
【００２５】
図７（ａ）、（ｂ）では、スケルトン構造体４の骨部材３ｉの部分及び、スケルトン構造体５の骨部材７ｃの部分にそれぞれ掛脱部材８、９が配備されている形態にしているが、各スケルトン構造体を構成する所定の本数の骨部材の中の少なくとも１本に他のスケルトン構造体との間の立体的組み合わせ、組み立てが可能になるように所定の掛脱部材が配備されていれば十分である。
【００２６】
所定の本数の骨部材が結合して形成されているスケルトン構造体４、５において、骨部材の形状、外観・形態、構造を図１、図７図示のように直線状のものにするだけでなく、曲線状、湾曲状、環状、等、種々の形状、外観・形態、構造にし、組立式立体支持構造体１を構成する個々のスケルトン構造体の外観、形態、構造を種々に変更することができる。
【００２７】
また、骨部材において掛脱部材が配備されている位置を、図７図示のように長手方向に延びる骨部材の中央側、あるいは、図示していないが、長手方向に延びる骨部材の両方の端部、あるいは片方の端部にする、等、各スケルトン構造体を構成する所定の本数の骨部材の中の少なくとも１本に配備する掛脱部材の配備位置を種々に選定、変更することで、一のスケルトン構造体と、他の一又は複数のスケルトン構造体とを立体的に組み合わせて形成する組立式立体支持構造体１の外観、形態、構造を種々に変更することができる。
【００２８】
これらによって、床面などの支持面に置かれる組立式立体支持構造体１をその単独で美的鑑賞に堪え得る鑑賞対象物となり得るものにすることができる。
【００２９】
図１図示の実施形態では、スケルトン構造体４、５が立体的に組み合わされてなる組立式立体支持構造体１が、下側のスケルトン構造体４の閉じた空間領域２ａを形成する４本の骨部材３ｃ、３ｅ、３ｈ、３ｋで形成される四角形の形状を有するスケルトン構造部分を不図示の床面、テーブルの上面、机の上面、棚の上面などの支持面に置いている。
【００３０】
図２には図１図示の組立式立体支持構造体１に花材１０、１２が支持されている状態の一例が表されている。図２図示の実施形態では花材１０、１２が長手方向に所定の長さにわたって伸びる被支持体であって、これが組立式立体支持構造体１によって支持されている。
【００３１】
図２図示の実施形態では、組立式立体支持構造体１を構成するスケルトン構造体５を形成している複数本の骨部材の中の骨部材７ａ、７ｌが花材１０、１２に対する支持部、具体的には花材１０、１１の茎１１、１３に対する支持部を形成している。
【００３２】
図２図示のように、花材１０、１２が組立式立体支持構造体１によって支持されている際、スケルトン構造体５を形成している骨部材同士の間に形成されている空間部を介して花材１０、１２を視認できる。
【００３３】
すなわち、骨部材７ｆと骨部材７ｊとの間の空間部、骨部材７ｂと骨部材７ｆとの間の空間部、骨部材７ｂと骨部材７ｄとの間の空間部、骨部材７ｄと骨部材７ｊとの間の空間部を介して、花材１０、１２の茎１１、１３を視認することができる。
【００３４】
また花材１０、１２の茎１１、１３の下側の部分は、スケルトン構造体４を形成している骨部材３ｂと骨部材３ｄとの間の空間部、骨部材３ｆと骨部材３ｊとの間の空間部などを介して視認することができる。
【００３５】
そこで、複数の構造体であるスケルトン構造体４、５が立体的に組み立てられてなる組立式立体支持構造体１を、図２図示のように、床面などの支持面に置いた状態で、長手方向に所定の長さにわたって伸びる花材１０、１２を組立式立体支持構造体１が支持している状態では、図２図示のように、支持されている花材１０、１２の全体的な外観・形態、すなわち、スケルトン構造体４、５を形成している骨部材同士の間に形成されている空間部を介して視認できる部分の花材１０、１２の外観・形態を含めた花材１０、１２の全体的な外観・形態と、複数の構造体であるスケルトン構造体４、５が立体的に組み立てられてなる組立式立体支持構造体１全体の外観・形態とが相まって、相乗効果で美的鑑賞に堪え得る鑑賞対象物となり得る。
【００３６】
また、図１図示のように、花材１０、１２を支持していない状態であっても、所定の本数の骨部材が結合して形成されているスケルトン構造体４、５において、骨部材の形状、外観・形態、構造を図１、図７図示のように直線状のものにするだけでなく、曲線状、湾曲状、環状、等、種々の形状、外観・形態、構造にし、組立式立体支持構造体１を構成する個々のスケルトン構造体の外観、形態、構造を種々に変更したり、スケルトン構造体４、５の各骨部材において上述した掛脱部材８、９が配備されている骨部材を任意に選定・変更する、骨部材において掛脱部材８、９が配備されている位置を任意に選定・変更する、等により、立体的な組み立て形式、組み立て構造、形態を任意に変更することができるので、スケルトン構造体４、５が立体的に組み立てられてなる組立式立体支持構造体１の外観、形態を種々に変更することができ、床面などの支持面に置かれた組立式立体支持構造体１の単独で美的鑑賞に堪え得る鑑賞対象物となり得る。
【００３７】
図２図示の実施形態では、組立式立体支持構造体１を構成するスケルトン構造体５を形成している複数本の骨部材の中の骨部材７ａ、７ｌが花材１０、１２に対する支持部、具体的には花材１０、１１の茎１１、１３に対する支持部を形成している。
【００３８】
これに替えて、例えば、花材１０、１１の茎１１、１３が、スケルトン構造体５の骨部材７ｃ、７ｂ、７ａ、７ｄで囲まれる閉じた四角形の空間領域と、骨部材７ｈ、７ｆ、７ｉ、７ｊで囲まれる閉じた四角形の空間領域とを通過し、茎１１、１３が、スケルトン構造体５の骨部材７ｃ、７ｈで支持される形態にすることもできる。この場合にも、スケルトン構造体であることから、スケルトン構造体５の骨部材７ｂと骨部材７ｆとの間の空間部、骨部材７ｄと骨部材７ｊとの間の空間部などを介して花材１０、１２の茎１１、１３を視認できる。
【００３９】
また、花材１０、１２の茎１１、１３の下端が支持面に当接するのが、スケルトン構造体４の骨部材３ｃ、３ｅ、３ｈ、３ｋで囲まれる閉じた四角形の空間領域２ａにおいてであり、スケルトン構造体４の骨部材３ａ、３ｇ、３ｉ、３ｌで囲まれる閉じた四角形の空間領域を通過した花材１０、１２の茎１１、１３が、スケルトン構造体４の骨部材３ｉで支持されてスケルトン構造体５の内部空間内に入り、図２図示のように、スケルトン構造体５の骨部材７ａ、７ｇ、７ｉ、７ｌで囲まれる閉じた四角形の空間領域を通過し、骨部材７ａ、７ｌで支持されるようにすることができる。このようにしても、スケルトン構造体４、５であることから、スケルトン構造体４、５をそれぞれ構成している骨部材の間の空間部を介して花材１０、１２の茎１１、１３を視認できる。
【００４０】
いずれにしても、組立式立体支持構造体１は、スケルトン構造体４、５が立体的に組み合わされているので、図２図示のように、床面などの支持面に置かれた状態で、長手方向に所定の長さにわたって伸びる花材１０、１２を支持している状態では、図２図示のように、支持されている花材１０、１２の全体的な外観・形態、すなわち、スケルトン構造体４、５を形成している骨部材同士の間に形成されている空間部を介して視認できる部分の花材１０、１２の外観・形態を含めた花材１０、１２の全体的な外観・形態と、複数の構造体であるスケルトン構造体４、５が立体的に組み立てられてなる組立式立体支持構造体１全体の外観・形態とが相まって、相乗効果で美的鑑賞に堪え得る鑑賞対象物となり得る。
【００４１】
図１、図２、図７図示の実施形態では、スケルトン構造体４は、直線状に伸びる１２本の骨部材３ａ〜３ｌが結合されて形成され、スケルトン構造体５も、直線状に伸びる１２本の骨部材７ａ〜７ｌが結合されて形成されていた。
【００４２】
しかし、それぞれ所定の本数の骨部材が結合して形成されていて、複数が立体的に組み合わされることにより、支持面に置かれた状態で長手方向に所定の長さにわたって伸びる一乃至複数の被支持体を支持する組立式立体支持構造体を構成する各スケルトン構造体は、前記被支持体が前記組立式立体支持構造体によって支持される際に、前記骨部材の中の一部の骨部材によって、前記被支持体に対する支持部が形成され、前記被支持体が前記組立式立体支持構造体によって支持されている際に、前記スケルトン構造体を形成している前記所定の本数の骨部材同士の間に形成されている空間部を介して前記被支持体を視認できる構造であればよい。
【００４３】
そこで、この条件を満たすならば、図１、図２、図７図示のような立方体形状や、直方体形状のスケルトン構造体に限られる必要はなく、多角柱形状、円柱・円筒体形状、球形状・楕円球形状、角錐形状など、種々の立体的形状からなるスケルトン構造体を、複数が立体的に組み合わされることにより、支持面に置かれた状態で長手方向に所定の長さにわたって伸びる一乃至複数の被支持体を支持する組立式立体支持構造体を構成するスケルトン構造体として採用することができる。
【００４４】
また、図１、図２、図７図示のような立方体形状や、直方体形状のスケルトン構造体を採用する場合であっても、図８図示のように、図７図示のスケルトン構造体４、５から幾本かの骨部材が採用されていない構造にすることができる。
【００４５】
図８（ａ）図示のスケルトン構造体４ａは、図７（ａ）図示のスケルトン構造体４において、骨部材３ｄ、３ａの２本が採用されていない構造になっている。
【００４６】
図８（ｂ）図示のスケルトン構造体５ａは、図７（ｂ）図示のスケルトン構造体５において、骨部材７ｆ、７ｅ、７ｂが採用されていない構造になっている。
【００４７】
支持面に置かれた状態で長手方向に所定の長さにわたって伸びる一乃至複数の被支持体を支持する組立式立体支持構造体を構成するスケルトン構造体としてこのように種々の構造、形態のものを採用し、その上で、上述したように、所定の本数の骨部材が結合して形成されているスケルトン構造体において、骨部材の形状、外観・形態、構造を直線状、曲線状、湾曲状、環状、等、種々の形状、外観・形態、構造にして組立式立体支持構造体を構成する個々のスケルトン構造体の外観、形態、構造を種々に変更する、各スケルトン構造体を構成する所定の本数の骨部材の中の少なくとも１本に配備する掛脱部材の配備位置を種々に選定、変更することで、一のスケルトン構造体と、他の一又は複数のスケルトン構造体とを立体的に組み合わせて形成する組立式立体支持構造体の外観、形態、構造を種々に変更する、等により、床面などの支持面に置かれる組立式立体支持構造体１をその単独で美的鑑賞に堪え得る鑑賞対象物となり得るものにすることができる。
【００４８】
また、このように、単独でも美的鑑賞に堪え得る鑑賞対象物たりえる組立式立体支持構造体が床面などの支持面に置かれた状態で、長手方向に所定の長さにわたって伸びる被支持体を支持している状態では、支持されている被支持体の全体的な外観・形態、すなわち、複数のスケルトン構造体を形成している骨部材同士の間に形成されている空間部を介して視認できる部分の被支持体の外観・形態を含めた被支持体の全体的な外観・形態と、複数のるスケルトン構造体が立体的に組み立てられてなる組立式立体支持構造体全体の外観・形態とが相まって、相乗効果で美的鑑賞に堪え得る鑑賞対象物となり得る。
【００４９】
図３、図４図示の実施形態は、図１、図２、図７図示の実施形態におけるスケルトン構造体５に対して、図１、図７で説明した構造からなるスケルトン構造体１４が更に組み合わされているものである。
【００５０】
スケルトン構造体５と、スケルトン構造体１４との間の組み合わせ、組み立てには、図７を用いて説明した、スケルトン構造体５、スケルトン構造体１４を構成する骨部材に配備されている掛脱部材を用いた掛脱を採用することができる。
【００５１】
図４図示のように、被支持体である花材１０、１２が、組立式立体支持構造体によって支持されている際、スケルトン構造体４、５、１４によって、これらの中を挿通している花材１０、１２の茎部の形状、形態を骨部材同士の間に形成されている空間部を介して視認することができる。
【００５２】
これによって、組立式立体支持構造体に支持されていて長手方向に伸びている花材１０、１２（図４では上下方向に伸びている花材１０、１２）の、全体的な形状、形態、すなわち、複数のスケルトン構造体４、５、１４を形成している骨部材同士の間に形成されている空間部を介して視認できる部分である花材１０、１２の茎１１、１３の外観・形態を含めた花材１０、１２の全体的な外観・形態と、複数のスケルトン構造体４、５、１４が立体的に組み立てられてなる組立式立体支持構造体全体の外観・形態とが相まって、相乗効果で美的鑑賞に堪え得る鑑賞対象物となり得る。
【００５３】
また、花材１０、１２のような被支持体が組立式立体支持構造体に支持されていない、図３図示の状態であっても、これを、床や、机、テーブル、棚、等の家具などの上に配置しておくことで、観賞用あるいは、室内装飾用のオブジェとして楽しむ趣向を一層高めることができる。
【００５４】
図５、図６図示の組立式立体支持構造体２０は、４個のスケルトン構造体２１、２２ａ、２２ｂ、２３が立体的に組み合わされてなるものである。
【００５５】
スケルトン構造体２１は、リング状の２個の骨部材２４、２７を、図５中、上下方向に直線状に伸びている２本の骨部材２５、２６で支持、結合したものである。
【００５６】
スケルトン構造体２２ａも、リング状の２個の骨部材２８ａ、３１ａを、図５中、上下方向に直線状に伸びている２本の骨部材２９ａ、３９ａで支持、結合したものである。
【００５７】
スケルトン構造体２２ｂも、リング状の２個の骨部材２８ｂ、３１ｂを、図５中、上下方向に直線状に伸びている２本の骨部材２９ｂ、３９ｂで支持、結合したものである。
【００５８】
スケルトン構造体２３は、リング状の２個の骨部材３２、３５を、図５中、上下方向に直線状に伸びている２本の骨部材３３、３４で支持、結合し、上側のリング状の骨部材３５の外周に、直径対称の位置で２個のリング状の骨部材３６ａ、３６ｂを結合したものである。
【００５９】
スケルトン構造体２１と、スケルトン構造体２２ａとの間の組み合わせ、組み立てには、図７を用いて説明した、スケルトン構造体２１、スケルトン構造体２２ａを構成する骨部材２５あるいは、骨部材２７、骨部材２８ａあるいは、骨部材３０ａに配備されている掛脱部材を用いた掛脱を採用することができる。
【００６０】
スケルトン構造体２１と、スケルトン構造体２２ｂとの間の組み合わせ、組み立てには、図７を用いて説明した、スケルトン構造体２１、スケルトン構造体２２ｂを構成する骨部材２６あるいは、骨部材２７、骨部材２８ｂあるいは、骨部材２９ｂに配備されている掛脱部材を用いた掛脱を採用することができる。
【００６１】
スケルトン構造体２２ａ、２２ｂと、スケルトン構造体２３との間の組み合わせ、組み立てには、図７を用いて説明した、スケルトン構造体２２ａ、スケルトン構造体２３を構成する骨部材３０ａあるいは、骨部材３１ａ、骨部材３２あるいは、骨部材３３に配備されている掛脱部材を用いた掛脱、スケルトン構造体２２ｂ、スケルトン構造体２３を構成する骨部材２９ｂあるいは、骨部材３１ｂ、骨部材３２あるいは、骨部材３４に配備されている掛脱部材を用いた掛脱を採用することができる。
【００６２】
図６図示のように、被支持体である花材４０、４２、４４、４６が、組立式立体支持構造体２０によって支持されている際、スケルトンタイプのスケルトン構造体２１、２２ａ、２２ｂ、２３によって、これらの中を挿通している花材４０、４２、４４、４６の茎４１、４３、４５、４７の外観、形状、形態を、骨部材同士の間に形成されている空間部を介して視認することができる。
【００６３】
これによって、組立式立体支持構造体２０が床面などの支持面に置かれた状態で、長手方向に所定の長さにわたって伸びる被支持体（花材４０、４２、４４、４６）を支持している状態（図６）では、支持されている被支持体（花材４０、４２、４４、４６）の全体的な外観・形態、すなわち、複数のスケルトン構造体２１、２２ａ、２２ｂ、２３を形成している骨部材同士の間に形成されている空間部を介して視認できる部分の被支持体（花材４０、４２、４４、４６）の外観・形態を含めた被支持体（花材４０、４２、４４、４６）の全体的な外観・形態と、複数のスケルトン構造体２１、２２ａ、２２ｂ、２３が立体的に組み立てられてなる組立式立体支持構造体全体２０の外観・形態とが相まって、相乗効果で美的鑑賞に堪え得る鑑賞対象物となり得る。
【００６４】
また、花材４０、４２、４４、４６のような被支持体が組立式立体支持構造体２０に支持されていない、図５図示の状態であっても、スケルトン構造体２１、２２ａ、２２ｂ、２３の各骨部材において上述した掛脱部材が配備されている骨部材を任意に選定・変更する、骨部材において掛脱部材が配備されている位置を任意に選定・変更する、等により、立体的な組み立て形式、組み立て構造、形態を任意に変更することができるので、スケルトン構造体２１、２２ａ、２２ｂ、２３が立体的に組み立てられてなる組立式立体支持構造体２０の外観、形態を種々に変更することができ、床面などの支持面に置かれた組立式立体支持構造体２０の単独で美的鑑賞に堪え得る鑑賞対象物となり得る。
【００６５】
上述した実施形態におけるスケルトン構造体５は、スケルトン構造体５を形成している１２本の骨部材の中の骨部材である骨部材７ａ、７ｇ、７ｊ、７ｌによって形成される閉じられた四角形形状の空間領域を備えている。
【００６６】
スケルトン構造体５が、骨部材７ａ、７ｇ、７ｊ、７ｌによって形成される閉じられた四角形形状の空間領域を備えていることにより、図２図示のように、この閉じられた空間領域を通過する花材１０、１２の茎１１、１３はどちらの方向に傾いても、必ず、骨部材７ａ、７ｇ、７ｊ、７ｌのいずれかによって支持されることになる。
【００６７】
このような観点から、上述した実施形態の組立式立体支持構造体を構成する複数のスケルトン構造体の中の少なくとも一つのスケルトン構造体は、当該スケルトン構造体を形成している所定の本数の骨部材の中の骨部材によって形成される閉じられた空間領域を少なくとも一つ備えている構造になっていることが望ましい。
【００６８】
図３、図４図示の実施形態では、図２、図３図示の実施形態と同様に、直線状に伸びる４本の骨部際によって四角形形状の閉じられた空間領域が２つ形成されていて、花材１０の茎１１が一方の閉じられた空間領域を、花材１２の茎１３が他方の閉じられた空間領域を通過し、これらの空間領域を形成する骨部材の何れかによって花材１０の茎１１、花材１２の茎１３が支持されるようになっている。
【００６９】
図５、図６図示の組立式立体支持構造体２０においては、スケルトン構造体２１はリング状の骨部材２４、２７によってそれぞれ閉じられた円形状の空間領域を備えており、スケルトン構造体２２ａはリング状の骨部材２８ａ、３１ａによってそれぞれ閉じられた円形状の空間領域、スケルトン構造体２２ｂはリング状の骨部材２８ｂ、３１ｂによってそれぞれ閉じられた円形状の空間領域、スケルトン構造体２３はリング状の骨部材３２、３５、３６ａ、３６ｂによってそれぞれ閉じられた円形状の空間領域を備えている。
【００７０】
なお、図８（ａ）、（ｂ）図示の形態のようなスケルトン構造体４ａ、５ａも、骨部材３ｋ、３ｈ、３ｅ、３ｃによって形成される閉じられた四角形形状の空間領域や、骨部材７ｊ、７ｌ、７ａ、７ｇによって形成される閉じられた四角形形状の空間領域などを備えているので、他の１乃至複数のスケルトン構造体と立体的に組み合わされて上述した実施形態の組立式立体支持構造体を形成する場合、このように少なくとも一個配備されている、ケルトン構造体を形成している所定の本数の骨部材の中の骨部材によって形成される閉じられた空間領域を、被支持体が挿通するようにして、当該組立式立体支持構造体による当該被支持体の支持を行うようにすることで、当該閉じられた空間領域を挿通する被支持体がどちらの方向に傾いても、必ず、当該閉じられた空間領域を形成するいずれかの骨部材によって支持されることになる。
【００７１】
以上、添付図面を参照して本発明の実施形態を説明したが、本発明は上述した実施形態に限定されるものではなく、特許請求の範囲の記載から把握される技術的範囲において種々の形態に変更可能である。
【符号の説明】
【００７２】
１、２０  組立式立体支持構造体
２ａ、２ｂ  閉じた空間領域
３ａ、〜、３ｌ  骨部材
４、５、１４、２１、２２ａ、２２ｂ、２３  スケルトン構造体
６ａ、６ｂ、１６ａ、１６ｂ    閉じた空間領域
７ａ、〜、７ｌ  骨部材
８、９  掛脱部材
１０、１２、４０、４２、４４、４６  花材
１１、１３、４１、４３、４５、４７    茎
１５ａ、１５ｂ、１５ｃ、１５ｅ、１５ｆ、１５ｇ、１５ｈ、１５ｊ、１５ｌ  骨部材
２４、２７、２８ａ、２８ｂ、３１、３１ａ、３２、３５、３６ａ、３６ｂ  リング状の骨部材
２５、２６、２９ａ、２９ｂ、３９ａ、３３、３４、３９ｂ  直線状に伸びている骨部材
【図１】
2019017830.tif 000003
【図２】
2019017830.tif 000004
【図３】
2019017830.tif 000005
【図４】
2019017830.tif 000006
【図５】
2019017830.tif 000007
【図６】
2019017830.tif 000008
【図７】
2019017830.tif 000009
【図８】
2019017830.tif 000010
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して立体的形状に形成されていると共に、
前記複数のスケルトン構造体の中の少なくとも一つのスケルトン構造体は、当該スケルトン構造体を形成している前記所定の本数の骨部材の中の骨部材によって形成される閉じられた空間領域を少なくとも一つ備えており、
前記複数のスケルトン構造体はそれぞれを形成している前記所定の本数の骨部材の中の少なくとも一の骨部材の所定の箇所に掛脱部材を備えていて、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされ、
前記骨部材に備えられている前記掛脱部材の配備位置を種々に選定、変更して一の前記スケルトン構造体と他の一又は複数の前記スケルトン構造体とを立体的に組み合わせることで、外観、形態、構造が種々に変更されている前記組立式立体支持構造体が組み立てられ、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。
【請求項２】
前記被支持体が生け花用または観賞用の花材である請求項１記載の組立式立体支持構造体。
【請求項３】
前記被支持体が文房具である請求項１記載の組立式立体支持構造体。
【請求項４】
前記被支持体が傘である請求項１記載の組立式立体支持構造体。
【手続補正２】
【補正対象書類名】明細書
【補正対象項目名】０００８
【補正方法】変更
【補正の内容】
【０００８】
［１］
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して立体的形状に形成されていると共に、
前記複数のスケルトン構造体の中の少なくとも一つのスケルトン構造体は、当該スケルトン構造体を形成している前記所定の本数の骨部材の中の骨部材によって形成される閉じられた空間領域を少なくとも一つ備えており、
前記複数のスケルトン構造体はそれぞれを形成している前記所定の本数の骨部材の中の少なくとも一の骨部材の所定の箇所に掛脱部材を備えていて、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされ、
前記骨部材に備えられている前記掛脱部材の配備位置を種々に選定、変更して一の前記スケルトン構造体と他の一又は複数の前記スケルトン構造体とを立体的に組み合わせることで、外観、形態、構造が種々に変更されている前記組立式立体支持構造体が組み立てられ、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
［２］
前記被支持体が生け花用または観賞用の花材である［１］の組立式立体支持構造体。
【手続補正６】
【補正対象書類名】明細書
【補正対象項目名】００１２
【補正方法】変更
【補正の内容】
【００１２】
［３］
前記被支持体が文房具である［１］の組立式立体支持構造体。
【手続補正７】
【補正対象書類名】明細書
【補正対象項目名】００１３
【補正方法】変更
【補正の内容】
【００１３】
［４］
前記被支持体が傘である［１］の組立式立体支持構造体。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して立体的形状に形成されていると共に、
前記複数のスケルトン構造体の中の少なくとも一つのスケルトン構造体は、当該スケルトン構造体を形成している前記所定の本数の骨部材の中の骨部材によって形成される閉じられた空間領域を少なくとも一つ備えており、
前記複数のスケルトン構造体はそれぞれを形成している前記所定の本数の骨部材の中の少なくとも一の骨部材の所定の箇所に掛脱部材を備えていて、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされ、
前記骨部材の中の少なくとも１本に配備する前記掛脱部材の配備位置を種々に選定、変更して一の前記スケルトン構造体と他の一又は複数の前記スケルトン構造体とを立体的に組み合わせることで、外観、形態、構造が種々に変更されている前記組立式立体支持構造体が組み立てられ、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。
【請求項２】
前記被支持体が生け花用または観賞用の花材である請求項１記載の組立式立体支持構造体。
【請求項３】
前記被支持体が文房具である請求項１記載の組立式立体支持構造体。
【請求項４】
前記被支持体が傘である請求項１記載の組立式立体支持構造体。
【手続補正２】
【補正対象書類名】明細書
【補正対象項目名】０００８
【補正方法】変更
【補正の内容】
【０００８】
［１］
複数のスケルトン構造体が立体的に組み合わされてなり、支持面に置かれた状態で、長手方向に所定の長さにわたって伸びる一乃至複数の被支持体を支持する組立式立体支持構造体であって、
前記スケルトン構造体はそれぞれ所定の本数の骨部材が結合して立体的形状に形成されていると共に、
前記複数のスケルトン構造体の中の少なくとも一つのスケルトン構造体は、当該スケルトン構造体を形成している前記所定の本数の骨部材の中の骨部材によって形成される閉じられた空間領域を少なくとも一つ備えており、
前記複数のスケルトン構造体はそれぞれを形成している前記所定の本数の骨部材の中の少なくとも一の骨部材の所定の箇所に掛脱部材を備えていて、一の前記スケルトン構造体の骨部材に配備されている前記掛脱部材と、他の前記スケルトン構造体の骨部材に配備されている前記掛脱部材との掛脱により、前記複数のスケルトン構造体が立体的に組み合わされ、
前記骨部材の中の少なくとも１本に配備する前記掛脱部材の配備位置を種々に選定、変更して一の前記スケルトン構造体と他の一又は複数の前記スケルトン構造体とを立体的に組み合わせることで、外観、形態、構造が種々に変更されている前記組立式立体支持構造体が組み立てられ、
前記被支持体が前記組立式立体支持構造体によって支持される際に、前記骨部材の中の一部の骨部材によって、前記被支持体に対する支持部が形成され、
前記被支持体が前記組立式立体支持構造体によって支持されている際に、前記スケルトン構造体を形成している前記所定の本数の骨部材同士の間に形成されている空間部を介して前記被支持体を視認できる
組立式立体支持構造体。